(57)【要約】【課題】浚渫による水中での土砂等の拡散を抑制し、浚渫対象の土砂厚みに応じて効率的な浚渫を可能とする浚渫用グラブバケットを提供する。【解決手段】浚渫対象の土砂厚みに応じて左右一対のバケット１それぞれの内部に設けた左右一対のカバー体８を変えることで密閉空間となるバケット容積を変更し、一種類のバケット１で余分な水分をすくうことなく含泥率が高く、効率の良い浚渫作業ができ、すくった土砂は密閉空間に収容され、グラブバケット１０を引き上げる途中で土砂がこぼれることがなく、水中での土砂の拡散を防ぐことができる。【選択図】図１
2005325602.tif 000002
【特許請求の範囲】
【請求項１】
吊りワイヤで吊り下げられる上部支持体と、該上部支持体に上端部を回転可能に軸支される左右一対のアームと、該左右一対のアーム下端部の支軸に回転可能に軸支される左右一対のバケットと、該左右一対のバケット同士を回転可能に連結する連結軸とを設け、該連結軸を昇降させて前記支軸を中心に前記左右一対のバケットを左右に開閉させる浚渫用グラブバケットにおいて、前記左右一対のバケットそれぞれの内部にカバー体を着脱可能に設け、左右一対となる該カバー体同士が前記左右一対のバケットを閉じた状態で当接し、バケット内部に密閉空間を形成することを特徴とする浚渫用グラブバケット。
【請求項２】
縦断面形状の異なる左右一対のカバー体を取り付けて、バケット内部の密閉空間の容積を変える請求項１に記載の浚渫用グラブバケット。
【請求項３】
左右一対のバケットそれぞれの側壁面のカバー体との当接部下方近傍に貫通孔と、該貫通孔を開閉する開閉弁とを設け、左右一対のバケットが開いた状態では前記開閉弁を開き、左右一対のバケットが閉じた状態では前記開閉弁を閉じるようにした請求項１または２に記載の浚渫用グラブバケット。
【発明の詳細な説明】
【技術分野】
【０００１】
本発明は、海底や湖底などの土砂等をすくい上げる浚渫に使用される浚渫用グラブバケットに関し、さらに詳しくは、浚渫による水中での土砂等の拡散を抑制し、浚渫対象の土砂厚みに応じて効率的な浚渫を可能とする浚渫用グラブバケットに関するものである。
【背景技術】
【０００２】
従来の浚渫用のグラブバケットは、図７に示すように吊りワイヤ５で吊り下げられる上部支持体３に上端部を回転可能に軸支される左右一対のアーム４下端部の支軸６に左右一対のバケット１が回転可能に軸支されていた。この左右一対のバケット１同士を回転可能に連結する連結軸２を滑車装置１１を介して開閉用ワイヤ１７を用いて昇降させることで、バケット１が支軸６を中心として左右に開閉する構造となっている。バケット１が閉じた状態ではバケット１上部は開放さているので、すくった土砂Ｓはバケット１を引き上げる途中でこぼれて水中に拡散し、汚濁を生じさせていた。特に、浚渫対象となる土砂等がダイオキシン類等の汚染物質を含む場合は、周辺に汚染物質が拡散するため大きな問題となる。
【０００３】
浚渫による水中での土砂等の拡散防止対策としては、密閉型バケットが提案されている（例えば、特許文献１参照）。この密閉型バケットはバケットに上蓋を設けて左右一対のバケットを閉じた状態で、バケット内部を密閉構造としたものである。この密閉型バケットでは、土砂をすくった後にバケットを水中から引き上げる途中に、土砂がこぼれるもことはなく、土砂の拡散を抑制することができる。
【０００４】
しかしながら、浚渫する土砂厚みは一つの作業区域においても一定とは限らず、この密閉型バケットで様々な土砂厚みに対応するためには複数の密閉型バケットを用意する必要があり、その都度バケットを交換すれば作業効率が悪くなる。また、複数の密閉型バケットを用意するにはコストもかかる。
【０００５】
一方で、一つの密閉型バケットで様々な土砂厚みに対応する場合は、最大の土砂厚みに合わせたバケットを使用することになるので、土砂厚みが小さい場合はバケットに余分な水分を取り込んでしまうため、含泥率（バケット容積に対する浚渫対象となる土砂量の割合）が低い浚渫となってしまう。余分な水分は、さらに浚渫した土砂の運搬効率、土砂処理場での処理効率を低下させる。
【特許文献１】特開２０００−３２８５９４号公報
【発明の開示】
【発明が解決しようとする課題】
【０００６】
本発明の目的は、浚渫による水中での土砂等の拡散を抑制し、浚渫対象の土砂厚みに応じて効率的な浚渫を可能とする浚渫用グラブバケットを提供することにある。
【課題を解決するための手段】
【０００７】
上記目的を達成するため本発明の浚渫用グラブバケットは、吊りワイヤで吊り下げられる上部支持体と、該上部支持体に上端部を回転可能に軸支される左右一対のアームと、該左右一対のアーム下端部の支軸に回転可能に軸支される左右一対のバケットと、該左右一対のバケット同士を回転可能に連結する連結軸とを設け、該連結軸を昇降させて前記支軸を中心に前記左右一対のバケットを左右に開閉させる浚渫用グラブバケットにおいて、前記左右一対のバケットそれぞれの内部にカバー体を着脱可能に設け、左右一対となる該カバー体同士が前記左右一対のバケットを閉じた状態で当接し、バケット内部に密閉空間を形成することを特徴とするものである。
【０００８】
ここで、密閉空間とは厳密な密閉性を有するものではなく、若干のすき間を有する空間を含むものである。
【発明の効果】
【０００９】
本発明の浚渫用グラブバケットによれば、左右一対のバケットそれぞれの内部に左右一対のカバー体を着脱可能に設けたので、浚渫対象の土砂厚みに応じて左右一対のカバー体を変えることで密閉空間となるバケット容積を変更することができるので、一つのバケット（一種類のバケット）で余分な水分をすくうことなく含泥率が高く、効率の良い浚渫作業ができる。
【００１０】
また、左右一対のバケットを閉じた状態で左右一対のカバー体同士が当接し、バケット内部に密閉空間を形成するので、すくった土砂は密閉され、バケットを引き上げる途中で土砂がこぼれることがなく、水中での土砂の拡散を防ぐことができる。
【発明を実施するための最良の形態】
【００１１】
以下、図に示す本発明の実施形態に基づいて具体的に説明する。尚、従来のグラブバケット（図７）と同じ構成要素については同一の符号を使用し、説明は省略する。
【００１２】
図１、２に示す浚渫用グラブバケット１０において、左右一対のバケット１それぞれの内部に左右一対のカバー体８が着脱可能に設けられている。左右一対のバケット１が閉じた状態では、左右一対のカバー体８の対向する端部同士が当接し、バケット１内部に密閉空間が形成される。
【００１３】
図３にバケット１内部へのカバー体８の取り付け方法の一例を示すと、バケット１内壁の上下方向中途に山形鋼１２を溶接等で固定し、山形鋼１２とほぼ同形状のパッキン１３を介してカバー体８をボルト等で山形鋼１２に固定する。これを左右両バケット１について行なう。パッキン１３を介して固定することで密閉性が向上させることができる。
【００１４】
また、左右一対のカバー体８の対向する一端の少なくとも一方にパッキン１４をつけると密閉性を上げることができる。
【００１５】
左右一対のカバー体８を取り付けた状態で、左右一対のバケット１を閉じると図４に示すように、左右一対のバケット１および左右一対のカバー体８の対向する部分が当接してバケット１内部に密閉空間が形成される。
【００１６】
図１、２に示すように両バケットの側壁面１ａには、カバー体８との当接部下方近傍に空気抜き用の貫通孔１５と貫通孔１５を開閉する開閉弁１６が備わっている。この開閉弁１６は上端部が支軸６と同じ軸方向の軸によって回転自在に軸支されている。したがって、左右一対のバケット１が開いた状態では開閉弁１６が開き、左右一対のバケット１が閉じた状態では開閉弁１６が閉じる構造となっている。
【００１７】
次に、本発明の浚渫用グラブバケットの使用方法について説明する。まず、浚渫対象の土砂厚みに適した高含泥率の浚渫が可能なカバー体８をバケット１内壁に取り付ける。具体的には、縦断面形状が異なる複数の左右一対のカバー体８から選択したカバー体８をバケット１に取り付ける。例えば、土砂厚みが小さい場合は図３に示すような平板状のカバー体８を選択して、バケット容積を小さくする。逆に土砂厚みが大きい場合は例えば、図５（ａ）、（ｂ）に示すような縦断面形状がくさび型で、角度を変えてそれぞれ縦断面形状が異なる箱状のカバー体８を選択してバケット容積を変えることができる。もちろん、縦断面形状はくさび型に限らず、バケット容積を変える種々の形状とすることができる。
【００１８】
このように、縦断面形状が異なる複数のカバー体８から選択することで同じ山形鋼１２に取り付けても、バケット容積を変更することができる。
これらのカバー体８においても他のカバー体８と当接する端部にパッキン１４を取り付けておくと密閉性を上げることができる。
【００１９】
また、バケット１内壁に上下方向に位置を変えた山形鋼１２を複数設けて、その中から選択した山形鋼１２にカバー体１を取り付けることでバケット容積を変更することもできる。
【００２０】
ダイオキシン類などの汚染土壌は土砂厚みが４０〜６０ｃｍ程度と比較的薄いので、容積が大きいバケットを使用すると、余分な水分まですくってしまい含泥率が低下し、浚渫した土砂の運搬効率、土砂の処理効率を悪化させる。また、一つの作業区域でも浚渫対象となる土砂厚さが一定ではなく、様々な土砂厚みに対応して浚渫する必要がある。
【００２１】
そこで、浚渫対象となる土砂厚さに適したカバー体８をバケット１に取り付けて浚渫作業をすることで一つのバケット（一種類のバケット）で含泥率を高く、効率の良い浚渫作業が可能となる。バケット容積を変更するには、カバー体８を取り替えるだけでよく、作業も簡単である。また、容積が異なる密閉型バケットを複数用意する必要もなく、一つのバケット（一種類のバケット）で多くの土砂厚さに対応できるのでコスト負担も小さくて済む。
【００２２】
浚渫をする場合は、図６に示すように左右一対のバケット１を開いた状態で、水中に落下させる。このとき、開閉弁１６は貫通孔１５を開くように機能するのでバケット１内部の空気は貫通孔１５から外部に抜け、バケット１を閉じる時にバケット１内部の空気が浮上して土砂を舞い上がらせることがない。また、バケット１内部の空気による浮力が生じないのでバケット１を的確に浚渫対象区域に沈めることができる。
【００２３】
土砂をすくった後、バケット１を閉じて引き上げるときは、開閉弁１６は貫通孔１５を閉じるように機能するので、すくった土砂が貫通孔１５からこぼれることはなく、また、土砂はバケット１内部の密閉空間に収容されるので、浚渫用グラブバケット１０を引き上げる途中でこぼれることはなく、土砂を水中に拡散させることはない。
【図面の簡単な説明】
【００２４】
【図１】本発明に係る左右一対のバケットを閉じた状態を示す正面図である。
【図２】図１の側面図である。
【図３】本発明に係るカバー体をバケット内部に取り付ける状態を示す組み立て透視図である。
【図４】本発明に係る左右一対のバケットを閉じた状態での左右一対のカバー体の状態を示す透視図である。
【図５】本発明に係るカバー体の他の形状を示す斜視図である。
【図６】本発明に係る左右一対のバケットを開いた状態を示す正面図である。
【図７】従来の浚渫用グラフバケットを示す正面図である。
【符号の説明】
【００２５】
１  バケット      １ａ  バケットの側壁面
２  連結軸
３  上部支持体
４  アーム
５  吊りワイヤ
６  支軸  
８  カバー体
１０  浚渫用グラブバケット
１１  滑車装置
１２  山形鋼
１３  パッキン（山形鋼用）    １４  パッキン（カバー体用）
１５  貫通孔
１６  開閉弁  
１７  開閉用ワイヤ
【図１】
2005325602.tif 000003
【図２】
2005325602.tif 000004
【図３】
2005325602.tif 000005
【図４】
2005325602.tif 000006
【図５】
2005325602.tif 000007
【図６】
2005325602.tif 000008
【図７】
2005325602.tif 000009